(57)【要約】【課題】安価に生産可能な４極ブレーカのプラグイン取付アダプタを提供する。【解決手段】４本の母線バーのうち３本と電気的に接続するプラグ端子金具を有する第１アダプタ１１と、この第１アダプタ１１に物理的に接合しており、第１アダプタ１１と電気的に接続している母線バー４以外の母線バー４と電気的に接続するプラグ端子金具を有する第２アダプタ１２とから構成され、第１アダプタ１１及び第２取付アダプタ１２の上面を４極ブレー力１０の搭載面として、４本の母線バー４と４極ブレーカ１０とを電気的に接続する。なお、接合片や、接合溝１１ｈ、接合凸部１２ｈを設け、第１アダプタ１１と第２アダプタ１２を接合することが好ましい。【選択図】図１２
2008061455.tif 000002
【特許請求の範囲】
【請求項１】
所定間隔を有して並設された三相４線式分電盤の４本の母線バーのうち複数本と電気的に接続するプラグ端子金具を有する第１アダプタと、この第１アダプタに物理的に接合しており、前記第１アダプタと電気的に接続している母線バー以外の母線バーと電気的に接続するプラグ端子金具を有する第２アダプタとから構成され、前記第１アダプタ及び前記第２取付アダプタの上面を４極ブレー力の搭載面として、前記４本の母線バーと４極ブレーカとを電気的に接続することを特徴とする４極ブレーカのプラグイン取付アダプタ。
【請求項２】
第１アダプタと第２アダプタとを物理的に接合する接合片を、第１アダプタ又は第２アダプタの下部の少なくとも一方に設けたことを特徴とする請求項１に記載の４極ブレーカのプラグイン取付アダプタ。
【請求項３】
第１アダプタ及び第２アダプタの接合面の一方に、前記接合面に開口した接合溝を設け、第１アダプタ及び第２アダプタの接合面の他方に、前記接合溝と接合する接合凸部を設け、前記接合溝と前記接合凸部を接合して、第１アダプタと第２アダプタを接合することを特徴とする請求項１又は請求項２のいずれかに記載の４極ブレーカのプラグイン取付アダプタ。
【発明の詳細な説明】
【技術分野】
【０００１】
本発明は、三相４線式分電盤の母線バーに４極ブレーカをプラグイン接続する場合のプラグイン取付アダプタの構造に関するものである。
【背景技術】
【０００２】
三相４線式の分電盤は、主幹の４極ブレーカの負荷側端子に接続したＲ、Ｓ、Ｔ、Ｎの４本の母線バーの任意の２本又は３本に、２極又は３極の分岐ブレーカの電源側端子を接続することにより、単相２線、単相３線、三相３線の電源として、負荷側に供給することができるものである。また、前記４本の母線バーに分岐ブレーカとして４極ブレーカを接続すれば、別の三相４線式の分電盤の電源として、電気を供給することができるものである。
【０００３】
一方、単相３線及び三相３線など３本の母線バーに２極又は３極の分岐ブレーカを接続する分電盤では、分岐ブレーカに設けたプラグ端子金具を母線バーに差し込むだけで接続作業が完了するプラグイン構造を採用する分電盤がある。（特許文献１、２参照）
このプラグイン構造の分電盤は分岐ブレーカの取付作業時間を大幅に短縮できるものである。
【０００４】
ところで、三相４線式分電盤に分岐ブレーカとして４極ブレーカをプラグイン接続しようとすると、４極用のプラグイン取付アダプタが必要となる。しかしながら三相４線式分電盤は日本国内では普及していないので、４極ブレーカ自体の数も２極又は３極ブレーカに比べて非常に少なく、４極用のブレーカをプラグイン接続するために、４極用プラグイン取付アダプタを製作した場合には、非常にコスト高なアダプタとなるという問題点がある。
【０００５】
【特許文献１】特開２００４−３１２８６５号公報
【特許文献２】特開２００６−１０７９１５号公報
【発明の開示】
【発明が解決しようとする課題】
【０００６】
本発明は、上記した従来の問題点を解決し、安価に生産可能な４極ブレーカのプラグイン取付アダプタを提供することを目的とするものである。
【課題を解決するための手段】
【０００７】
上記の課題を解決するためになされた本発明のプラグイン取付アダプタは、所定間隔を有して並設された三相４線式分電盤の４本の母線バーのうち複数本と電気的に接続するプラグ端子金具を有する第１アダプタと、この第１アダプタに物理的に接合しており、前記第１アダプタと電気的に接続している母線バー以外の母線バーと電気的に接続するプラグ端子金具を有する第２アダプタとから構成され、前記第１アダプタ及び前記第２取付アダプタの上面を４極ブレー力の搭載面として、前記４本の母線バーと４極ブレーカとを電気的に接続することを特徴とするものである。
【０００８】
また、第１アダプタと第２アダプタとを物理的に接合する接合片を、第１アダプタ又は第２アダプタの下部に設けたものであることが好ましい。
【０００９】
さらには、第１アダプタ及び第２アダプタの接合面の一方に、前記接合面に開口した接合溝を設け、第１アダプタ及び第２アダプタの接合面の他方に、前記接合溝と接合する接合凸部を設け、前記接合溝と前記接合凸部を接合して、第１アダプタと第２アダプタを接合するものとしても良い。
【発明の効果】
【００１０】
三相４線式の４本の母線バーのうち複数本と電気的に接続するプラグ端子金具を有する第１アダプタと、この第１アダプタに物理的に接合しており、前記第１アダプタと電気的に接続している母線バー以外の母線バーと電気的に接続するプラグ端子金具を有する第２アダプタとから構成したので、第１アダプタを、需要が多い２極用又は３極用のプラグイン取付アダプタとして使用することができる。このため、需要が多く安価に生産可能な第１アダプタを使用して、４本の母線バーと４極ブレーカをプラグイン接続することが可能となり、４極専用のプラグイン取付アダプタを製作するのと比べて、安価に４極ブレーカのプラグイン取付アダプタを提供することが可能となる。
【００１１】
なお、第１アダプタと第２アダプタとを物理的に接合する接合片を、第１アダプタ又は第２アダプタの下部の少なくとも一方に設けたものとすれば、簡単な構造で第１アダプタと第２アダプタとを接合することができる上、接合するときの作業性も良い。
【００１２】
さらには、第１アダプタ及び第２アダプタの接合面の一方に、前記接合面に開口した接合溝を設け、第１アダプタ及び第２アダプタの接合面の他方に、前記接合溝と接合する接合凸部を設け、前記接合溝と前記接合凸部を接合して、第１アダプタと第２アダプタを接合するものとしたので、接合した時に接合片が底部から突出することがなく、作業台等に水平に置いてブレーカを取付けることができるので作業性が良い。
【発明を実施するための最良の形態】
【００１３】
以下に、図面を参照しつつ本発明の好ましい実施の形態を示す。
図１は三相４線式のプラグイン分電盤の全体図であり、１は箱形のキャビネットである。２は、キャビネットの背面板である。この背面板２上には、幅方向を横断するように取付バー３が、一定の間隔をおいて取り付けられている。図１に示すプラグイン分電盤では、取付バー３は、背面板２の下部と上部に一つずつ取り付けられている。
【００１４】
取付バー３上には、Ｒ、Ｎ、Ｓ、Ｔの４本の母線バー４が、その幅方向をキャビネット１の開口の長手方向に向けて、所定間隔を有して並設されている。この母線バー４は、取付バー３上に取り付けられた絶縁材のバーホルダー５を介して、取付バー３に取り付けられている。実施例の母線バー４は、Ｒ−Ｎ−Ｓ−Ｔの順で配置され、Ｒ−Ｓ−Ｔの母線バー４が等間隔に配置され、Ｒ−Ｓの中間にＮ相の母線バー４が配置されている。なお、Ｎ相の母線バー４は、Ｓ−Ｔの中間に配置されていても差し支えない。
【００１５】
Ｒ、Ｎ、Ｓ、Ｔの４本の母線バー４両側には、一対のコの字形状の取付レール６が、開口部を内側にして、母線バー４と平行に配置され、取付バー３に取り付けられている。取付レール６の上面には等間隔に取付穴６ａが設けられている。
【００１６】
７はR、N、S、Ｔの４本の母線バー４に電源を供給する主幹の４極ブレーカである。この主幹の４極ブレーカ７に過電流が流れた場合には、回路が遮断されるようになっている。この４極用ブレーカ７は、背面板２の上に設けられ、負荷側の４極の端子を、接続バー８を介して各母線バー４と接続している。なお、主幹の４極用ブレーカは必要がなければ、特に設ける必要はなく、外部からの引込電線が直接母線バー４に接続したものであってもよい。
【００１７】
図２に示される、１０は４極ブレーカであり、この４極ブレーカ１０は、４つの負荷側端子１０ａを有している。４極ブレーカ１０に過電流が流れた場合には、負荷側端子１０ａへの回路が遮断されるようになっている。
【００１８】
１１は第１アダプタであり、４極ブレーカ１０の下側に配設されている。１２は第２アダプタであり、４極ブレーカ１０の下側でかつ、第１アダプタ１１に隣接して接合している。なお、第１アダプタ１１と第２アダプタ１２の接合方法は後述する。
【００１９】
４極ブレーカ１０と、第１アダプタ１１及び第２アダプタ１２の間には、図３に示されるような、略長方形状で板状の取付ベース１３が第１アダプタ１１と第２アダプタの上面を橋渡すように設けられている。この取付ベース１３には、複数の取付穴１３ａと複数の取付ネジ穴１３ｂが設けられている。取付穴１３ａに取付ネジ（図示せず）を螺入して、取付ベース１３を第１アダプタ１１及び第２アダプタ１２に取り付けている。また、４極ブレーカ１０の上部から、４極ブレーカ１０を貫通する取付ネジ（図示せず）を取付ネジ穴１３ｂに螺入して、４極ブレーカ１０を、取付ベース１３に取付ている。なお、この取付ベース１３は４極ブレーカをアダプタに取り付けるためのものであるが、第1アダプタ１１と第２アダプタ１２とを物理的に接合する役割も持っている。
【００２０】
第１アダプタ１１は、図４や図５に示されるように、下側が開口した箱形状をしている。第１アダプタ１１の長手方向の大きさは、４極ブレーカ１０の長手方向の長さよりもやや長くなっている。この第１アダプタ１１の両側面には、Ｒ、Ｎ、Ｓ、Ｔの母線バー４が介入できる、略Ｕ字形状の切り欠き部１１ａが形成されている。なお、Ｎ相は、Ｓ−Ｔ間に設けられる場合もあるので、切り欠き部１１ａは、Ｓ、Ｔの母線バー４が介入する切り欠き部１１ａの間にも設けられていることが好ましい。
【００２１】
図５に示すように、第１アダプタ１１の裏側には、バネ板よりなるクリップ状のプラグ端子金具１１ｂが、第１アダプタ１１の開口部に向かって３個突設されている。このプラグ端子金具１１ｂの配置位置は、第１アダプタ１１の幅方向に関して、等間隔に並列して配置されているが、第１アダプタ１１の長手方向に関しては、Ｒ、Ｓ、Ｔの母線バー４が介入する切り欠き部１１の設けられている位置にそれぞれ配置されている。
【００２２】
図４に示すように、第１アダプタ１１の上面の長手方向の端部には、略Ｌ字形状の接合端子１１ｃが、その先端を第１アダプタ１１の長手方向の内側に向けて、第１アダプタ１１の幅方向に並列して３個突設されている。接合端子１１ｃの先端は、略Ｕ字形状に切り欠かれた接合部１１ｄが形成されている。接合端子１１ｃは、第１アダプタ１１の幅方向に対応する位置に配置された、プラグ端子金具１１ｂと、それぞれ接続バー等により電気的に接続している。
【００２３】
また、図５や図６に示すように、第２アダプタ１２もまた、下側が開口した箱形状をしている。この第２アダプタ１２の長手方向の大きさは、第１アダプタ１１の長手方向の大きさと同じにしてある。第２アダプタ１２の両側面には、Ｒ、Ｎ、Ｓ、Ｔの母線バー４が介入できる、略Ｕ字形状の切り欠き部１２ａが形成されている。なお、Ｎ相は、Ｓ−Ｔ間に設けられる場合もあるので、切り欠き部１２ａは、Ｓ、Ｔの母線バー４が介入する切り欠き部１２ａの間にも設けられていることが好ましい。
【００２４】
図５に示すように、第２アダプタ１２の裏側には、バネ板よりなるクリップ状のプラグ端子金具１２ｂが、第２アダプタ１２の開口部に向かって１個突設されている。このプラグ端子金具１１ｂの配置位置は、Ｎの母線バー４が介入する切り欠き部１１が形成されている位置に配置されている。なお、Ｎ相は、Ｓ−Ｔ間に設けられる場合もあるので、プラグ端子金具１２ｂが、Ｒ−Ｓ間とＳ−Ｔ間に可動可能な構造であることが好ましい。
【００２５】
図６に示すように、第２アダプタ１２の上面の長手方向の端部には、略Ｌ字形状の接合端子１２ｃが、その先端を第２アダプタ１２の長手方向の内側に向けて、１個突設されている。接合端子１２ｃの先端は、略Ｕ字形状に切り欠かれた接合部１２ｄが形成されている。接合端子１２ｃは、プラグ端子金具１２ｂと、接続バー等により電気的に接続している。
【００２６】
図６に示すように、第２アダプタ１２の長手方向の側面の下端には、その先端を上に向けた略Ｌ字形状の接合片１２ｅが３個突設されている。この接合片１２の内側と第２アダプタ１２の側面との幅は、第１アダプタ１１の側面部１ｅ厚さより僅かに大きくしてある。前述したように、第２アダプタ１２は、第１アダプタ１１と接合しているが、接合片１２ｅは、第２アダプタ１２の長手方向の側面の、第１アダプタ１１との接合面に設けられ、図５に示されるように、接合片１２ｅが、第１アダプタ１１の側面部１１ｅの下端を抱持するようにして、第１アダプタ１１と第２アダプタ１２とが接合している（第１の実施形態）
【００２７】
このように、第２アダプタ１２に接合片１２ｅを設けて、第２アダプタを第１アダプタに接合することとしたので、簡単な構造で第１アダプタ１１と第２アダプタ１２とを接合することができる上、接合する時の作業性も良い。
【００２８】
なお、実施形態では、接合片１２ｅを第２アダプタ１２に３個設けたが、１個や２個、４個以上であっても差し支えない。また、実施形態では、接合片１２ｅを第２アダプタ１２側に設けたが、接合片を第１アダプタ側に設けて、第２アダプタの下部を接合することとしても差し支えない。
【００２９】
次に、別の実施形態（第２の実施形態）を説明する。図７に示すように、第１アダプタ１１の、第２アダプタ１２との接合面の両端上部には、前記接合面に開口した接合溝１１ｈが設けられている。この接合溝１１ｈは、凹形状をしていて、第１アダプタ１１の高さ方向に沿って形成されている。図８に示すように、接合溝１１ｈの底部１１ｊは、第１アダプタ１１の側面と平行な平面を有し、接合溝１１ｈの開口部１１ｋの幅は、底部１１ｊの幅より狭くしてある。
【００３０】
一方、図９に示すように、第２アダプタ１２の、第１アダプタ１１との接合面の両端上部には、接合凸部１２ｈが設けられている。接合凸部１２ｈは、前記接合溝１１ｈに対応した形状にしてあり、その先端部１２ｊは、第２アダプタ１２の側面に平行な平面を有し、先端部１２ｊの幅は、接合凸部１２ｈの基端部１２ｋの幅より広くしてある。この接合凸部１２ｈは、図１０に示すように、前記接合溝１１ｈに対応した位置に設けられていて、接合凸部１２ｈを、接合溝１１ｈの上方から、接合溝１１ｈに嵌入して接合し、図１１に示すように、第１アダプタ１１と第２アダプタ１２を接合する。前述したように、接合溝１１ｈの開口部１１ｋの幅は、底部１１ｊの幅より狭くしてあり、先端部１２ｊの幅は、接合凸部１２ｅの基端部１２ｋの幅より広くしてあるので、接合凸部１２ｈが接合溝１１ｈから脱落することがなく、接合溝１１ｈと接合凸部１２ｈの接合が外れることがない。
【００３１】
このように、第１アダプタ１１に接合溝１１ｈを設け、第２アダプタ１２に接合凸部１２ｈを設け、第２アダプタを第１アダプタに接合することとしたので、アダプタ同士を接合した時に接合片が底部から突出することがなく、作業台等に水平に置いてブレーカを取付けることができるので作業性が良い。
【００３２】
なお、実施形態では、接合溝１１ｈを第１アダプタ１１側に設け、接合凸部１２ｈを第２アダプタ１２側に設けているが、接合溝を第２アダプタ１２に設け、接合凸部を第１アダプタ１１に設け、第１アダプタ１１と第２アダプタ１２を接合する構造としても差し支えない。
【００３３】
さらに、第１の実施形態と第２の実施形態を組み合わせて、第１アダプタ１１及び第２アダプタ１２の一方の下部を接合する接合片１２ｅを、第１アダプタ１１及び第２アダプタ１２の他方に設け、第１アダプタ１１及び第２アダプタ１２の対向面の一方に、この対向面に開口した接合溝１１ｍを設け、第１アダプタ１１及び第２アダプタ１２の対向面の他方に、前記接合溝と接合する接合凸部１２ｈを設け、接合溝１１ｍと接合凸部１２ｈを接合して、第１アダプタ１１と第２アダプタ１２を接合する構造としてもよい。この場合には、第１アダプタ１１と第２アダプタ１２の接合がより強固なものとなる。なお、この実施形態の場合、接合溝１１ｍは高さ方向に連通した形状をしていて、接合時に接合片１２ｅで、他方のアダプタの下部を下側から抱持すると同時に、接合凸部１２ｈが接合溝１１ｍに嵌入する構造となっている。
【００３４】
第１アダプタ１１と第２アダプタ１２を接合して組み合わせた状態で、第１アダプタ１１及び第２アダプタ１２の上面を４極ブレーカ１０の搭載面として、４極ブレーカが第１アダプタ１１及び第２アダプタ１２上に搭載されている。第１アダプタ１１と第２アダプタ１２の接合端子１１ｃ、１２ｃが、４極ブレーカ１０の電源側端子（図示せず）上に対応するように配置されていて、接合部１１ｄ、１２ｄに端子ネジ（図示せず）が連通され、接合端子１１ｃ、１２ｃと４極ブレーカ１０の電源側端子とが、電気的に接続されている。実施形態では、４極ブレーカ１０の電源側端子を覆うカバー１５が取り付けられている。
【００３５】
図１２及び図１３に示すように、第１アダプタ１１と第２アダプタ１２からなるプラグイン取付アダプタは、取付レール上６に載せられ、第１アダプタ１１及び第２アダプタ１２の、上面の長手方向の両端部に設けられた、取付穴１１ｍ、取付穴１２ｍに取付ネジが挿通され、取付穴６ａに前記取付ネジが螺入されて、プラグイン取付アダプタが取付レール６に固定されている。
【００３６】
プラグ端子金具１１ｂは、Ｒ、Ｓ、Ｔの母線バー４の側面を挟掴し、プラグ端子金具１２ｂは、Ｎ相の母線バー４の側面を挟掴し、Ｒ、Ｎ、Ｓ、Ｔの母線バー４と、４極ブレーカ１０の電源側端子が電気的に接続されている。
【００３７】
なお、本実施形態のプラグ端子金具１１ｂ、１２ｂは母線バー４を挟掴して、電気的に接続しているが、ブレーカ取付アダプタに差込片を設け、母線バーの対応する箇所に設けたプラグ端子金具で受ける様にして、電気的に接続するような構造であっても差し支えない。
【００３８】
本発明の、第１アダプタ１１は、三相３線式の分電盤に、３極用のプラグイン取付アダプタとして使用することができる。三相４線式の分電盤に使用する場合には、第１アダプタ１１と第２アダプタ１２を組み合わせて、４極用のプラグイン取付アダプタとして使用する。このように、第１アダプタ１１を、３極用のプラグイン取付アダプタとして使用することが可能なため、安価に生産することができ、安価に生産可能な第１アダプタ１０を使用して、母線バー４と４極ブレーカ１０を接続することが可能となり、４極専用のプラグイン取付アダプタを製作するのと比べて、安価に４極ブレーカのプラグイン取付アダプタを提供することが可能となる。
【００３９】
また、第１アダプタ１１に、Ｒ、Ｓの切り欠き部１１ａの間及び、Ｓ、Ｔの切り欠き部１１ａの間の両方に切り欠き部１１ａを設け、第２アダプタのプラグ端子金具１２ｂが、Ｒ−Ｓ間とＳ−Ｔ間に可動可能な構造とすると、Ｎ相の母線バー４がＲ−Ｓ間、Ｓ−Ｔ間のどちらに配置されている場合でも、Ｎ相の母線バー４の位置に応じてプラグ端子金具１２ｂを可動するだけで使用することが可能となり、Ｎ相の母線バー４の位置に対応した、複数の第２アダプタ１２を製作する必要がない利点がある。
【００４０】
次に別の実施形態（第３の実施形態）を説明する。図１４に示すように、第３の実施形態では、Ｎ相の母線バー４は、コの字状の取り付けレール６を挟んでＲ、Ｓ、Ｔの母線バー４の外側に配置され、取付バー３にバーホルダー１７を介して取り付けられている。なお、Ｒ、Ｓ、Ｔの母線バー４の間隔は、第１の実施形態や第２の実施形態の分電盤と同じ間隔である。
【００４１】
コの字形状の取付レール１６が、開口部を内側にして、Ｎ相の母線バー４の外側に配置され、取付レール１６の上面には、等間隔に取付穴１６ａが設けられている。
【００４２】
この第３の実施形態に使用される第１アダプタは、第１の実施形態や第２の実施形態の第１アダプタ１１と同一である。しかし、この第３の実施形態では、Ｎ相の母線バー４が、Ｒ、Ｓ、Ｔの母線バー４の外側にあるので、第２アダプタ１８は、第１のアダプタ１１より長手方向側に延長され、第２アダプタ１８のプラグ端子金具がＮ相の母線バー４と接続するようになっている。このように、Ｎ相の母線バー４が、Ｒ、Ｓ、Ｔの母線バー４の外側に配置されている場合であっても、Ｎ相の母線バー４の配置位置に応じた第２アダプタを製作するだけで、３極用のプラグイン取付アダプタとして使用可能な、第１アダプタ１１と組み合わせて、各母線バー４を４極ブレーカ１０に電気的に接続することが可能となる。なお、第１アダプタ１１と第２アダプタ１２の接合方法は、第１の実施例や第２の実施例と同じである。
【００４３】
以上説明したように本発明では、３極用のプラグイン取付アダプタとして使用可能な第１アダプタ１１と、Ｎ相の母線バー４の配置位置に応じた第２取付アダプタ１２（１８）を接合して、これらの上面に４極ブレーカ１０を搭載して、４本の母線バー４と４極ブレーカ１０を電気的に接続するように構成した。このため、第１アダプタ１１が３極用のプラグイン取付アダプタとして使用可能なため、安価に生産可能な第１アダプタ１１を使用して、母線バー４と４極ブレーカ１０を接続することが可能となり、４極専用のプラグイン取付アダプタを製作するのと比べて、安価に４極ブレーカのプラグイン取付アダプタを提供することが可能となった。
【００４４】
なお、実施形態では、第１アダプタ１１は、３本の母線バー４と接続され、第２アダプタ１２は、１本の母線バー４と接続するように構成されているが、本発明はこのような実施形態に限定されず、第１アダプタ１１と第２アダプタ１２がそれぞれ、２本の母線バー４と接続する構造にも、本発明を適用できることはいうまでもない。また、アダプタ同士の物理的な接合は取付ベース１３のみであってもよく、この場合には同一の２極用のプラグイン取付アダプタを２個使用することにより、４極用プラグイン取付アダプタをより安価に作成することができる。この場合、プラグ端子金具の位置はそれぞれの母線バーに対応させて置くことは勿論のことである。
【００４５】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う４極ブレーカのプラグイン取付アダプタもまた技術的範囲に包含されるものとして理解されなければならない。   
【図面の簡単な説明】
【００４６】
【図１】プラグイン分電盤の全体図である。
【図２】第１の実施形態の４極ブレーカ及びプラグイン取付アダプタの斜視図である。
【図３】第１の実施形態のプラグイン取付アダプタの斜視図である。
【図４】第１の実施形態の第１アダプタの斜視図である。
【図５】第１の実施形態のプラグイン取付アダプタの裏面斜視図である。
【図６】第１の実施形態の第２アダプタの斜視図である。
【図７】第２の実施形態の第１アダプタの斜視図である。
【図８】接合溝の詳細図である。
【図９】第２の実施形態の第２アダプタの斜視図である。
【図１０】第２の実施形態の第１アダプタと第２アダプタの接合時の説明図である。
【図１１】第２の実施形態の第１アダプタと第２アダプタの接合状態の斜視図である。
【図１２】プラグイン取付アダプタの取付状態の斜視図である。
【図１３】プラグイン取付アダプタの取付状態の斜視図である。
【図１４】第３の実施形態の分電盤の全体図である。
【符号の説明】
【００４７】
１      キャビネット
２      背面板
３      取付バー
４      母線バー
５      バーホルダー
６      取付レール
６ａ    取付穴
７      主幹の４極ブレーカ
８      接続バー
１０    ４極ブレーカ
１０ａ  負荷側端子
１１    第１アダプタ
１１ａ  切り欠き部
１１ｂ  プラグ端子金具
１１ｃ  接合端子
１１ｄ  接合部
１１ｅ  側面部
１１ｈ  接合溝
１１ｊ  底部
１１ｋ  開口部
１１ｍ  取付穴
１２    第２アダプタ
１２ａ  切り欠き部
１２ｂ  プラグ端子金具
１２ｃ  接合端子
１２ｄ  接合部
１２ｅ  接合片
１２ｈ  接合凸部
１２ｊ  先端部
１２ｋ  基端部
１２ｍ  取付穴
１３    取付ベース
１３ａ  取付穴
１３ｂ  取付ネジ穴
１５    カバー
１６    取付レール
１６ａ  取付穴
１７    バーホルダ
１８    第２アダプタ
【図１】
2008061455.tif 000003
【図２】
2008061455.tif 000004
【図３】
2008061455.tif 000005
【図４】
2008061455.tif 000006
【図５】
2008061455.tif 000007
【図６】
2008061455.tif 000008
【図７】
2008061455.tif 000009
【図８】
2008061455.tif 000010
【図９】
2008061455.tif 000011
【図１０】
2008061455.tif 000012
【図１１】
2008061455.tif 000013
【図１２】
2008061455.tif 000014
【図１３】
2008061455.tif 000015
【図１４】
2008061455.tif 000016